(57)【要約】【課題】本発明は、要介護者と介護者の移乗の労力の負担を減らし、安全で容易に操作ができ、小さな空間で使用できる車椅子用移乗板を提供することを課題とする。【解決手段】  車椅子側部のフレームＢに取り付けられた矩形板１と、該矩形板１に取り付けられたヒンジ２，３と、該ヒンジ２，３に取り付けられた固定側移乗板４と、該固定側移乗板４に取り付けられて伸縮するスライドガイド５，６と、該スライドガイド５，６に取り付けられた移動側移乗板７と、該移動側移乗板７に取り付けられたヒンジ８，９と、該ヒンジ８，９に取付けられた肘掛１０と、該肘掛１０にかぶせられた肘掛カバー１１と、前記移動側移乗板７に取り付けられた留め金板ばね１３と、該留め金板ばね１３に取り付けられた解除つまみ１４とよりなる構成とし、前記スライドガイド５，６により連結した前記固定側移乗板４から前記移動側移乗板７を出し入れし、伸ばして移乗先へのブリッジとして使用し、縮めて前記車椅子の側部に、垂直方向に収納することを特徴とする車椅子用の移乗板。【選択図】図２
2011130939.tif 000002
【特許請求の範囲】
【請求項１】
車椅子側部のフレームＢに取り付けられた矩形板１と、該矩形板１に取り付けられたヒンジ２，３と、該ヒンジ２，３に取り付けられた固定側移乗板４と、該固定側移乗板４に取り付けられて伸縮するスライドガイド５，６と、該スライドガイド５，６に取り付けられた移動側移乗板７と、該移動側移乗板７に取り付けられたヒンジ８，９と、該ヒンジ８，９に取付けられた肘掛１０と、該肘掛１０にかぶせられた肘掛カバー１１と、前記移動側移乗板７に取り付けられた留め金板ばね１３と、該留め金板ばね１３に取り付けられた解除つまみ１４とよりなる構成とし、前記スライドガイド５，６により連結した前記固定側移乗板４から前記移動側移乗板７を出し入れし、伸ばして移乗先へのブリッジとして使用し、縮めて前記車椅子の側部に、垂直方向に収納することを特徴とする車椅子用移乗板。
【請求項２】
車椅子側部のフレームＢに取り付けられた矩形板１５と、該矩形板１５に取り付けられたヒンジ１６，１７と、該ヒンジ１６，１７に取り付けられた移乗板（１）１８と、該移乗板（１）１８に取り付けられたヒンジ１９，２０と、該ヒンジ１９，２０に取り付けられた移乗板（２）２１と、前記移乗板（１）１８に取り付けられた肘掛２２とよりなる構成とし、前記２枚の移乗板（１）１８と移乗板（２）２１と２組のヒンジ１６，１７とヒンジ１９，２０が１組になって水平に連なって伸びて移乗先へのブリッジとし、また縮んで前記車椅子の側部に垂直方向に２枚折重なって収納できることを特徴とする車椅子用移乗板。
【請求項３】
前記移乗板（２）２１は前記移乗板（１）１８より長くし、また矩形形状の一部をカットして後輪を移動せずに、垂直方向に折り重なった前記移乗板（１）１８と前記移乗板（２）２１とを水平になるまで干渉されずに展開できることを特徴とする請求項２の車椅子用移乗板。
【発明の詳細な説明】
【技術分野】
【０００１】
本発明は、車椅子用移乗板に関するものである。
【背景技術】
【０００２】
立位で移乗できない要介護者の車椅子とベッドとの移乗は、介護者が要介護者を抱きかかえて移乗しなければならないので要介護者、介護者ともに大きな労力の負担であり、特に介護者の腰を痛める原因になっている。リフトや吊具の使用での移乗もあるが、用具で要介護者を拘束する形になり、要介護者にとって窮屈で苦痛であり、介護者にとっても複雑で手間が掛かる。また用具の設置空間が必要である。
【０００３】
前述した問題点を解決しようとした移乗台を付属させた車椅子（特許文献  ２００４−１２１７２３号広報）があるが、十分な解決には至っていないのでここでその問題点を列記する。
【０００４】
問題点１  操作が複雑で時間が掛かる。
移乗板側の後輪を後に移動し、固定する。
後輪を移動するので、後輪の代わりに負荷を受ける浮上機構・接地体を固定する。
移乗板の負荷を受け持つ保持脚体の据付とその高さ調整が必要である。
前記保持脚体は別置場所から使用場所まで運ばねばならない。
問題点２  部品点数が多く、コスト高である。
問題点３  操作が複雑なので誰でも使えるというわけにはいかない、保守点検には専任者が必要である。
【先行技術文献】
【特許文献】
【０００５】
【特許文献１】２００４−１２１７２３号公報
【発明の概要】
【発明が解決しようとする課題】
【０００６】
本発明は、要介護者と介護者が要介護者の移乗の労力の負担を減らし、容易に操作ができ、低コストで製作でき、小さな空間で使用できる車椅子用移乗板を提供することを課題とする。
【課題を解決するための手段】
【０００７】
車椅子側部のフレームＢに取り付けられた矩形板１と、該矩形板１に取り付けられたヒンジ２，３と、該ヒンジ２，３に取り付けられた内側固定筐体４と、該内側固定筐体４に取り付けられて伸縮するスライドガイド５，６と、該スライドガイド５，６に取り付けられた外側移動筐体７と、該外側移動筐体７に取り付けられたヒンジ８，９と、該ヒンジ８，９に取付けられた肘掛１０と、該肘掛１０にかぶせられた肘掛カバー１１と、前記外側移動筐体７に取り付けられた留め金板ばね１３と、該留め金板ばね１３に取り付けられた解除ツマミ１４とよりなる構成とし、前記スライドガイド５，６により連結した前記内側固定筐体４から前記外側移動筐体７を出し入れし、伸ばして移乗先へのブリッジとして使用し、縮めて前記車椅子の側部に垂直方向に収納することを特徴とする車椅子用移乗板。
【発明の効果】
【０００８】
本発明の車椅子用移乗板を使用することにより、介護者は要介護者のベッドと車椅子との移乗に要介護者を抱きかかえる負担がなくなる。移乗板の設置はノブ１個を取り外し、移乗板を引き伸ばし、移乗板の先を移乗先に乗せるだけで完了するので、容易にスピィディに行うことができる。また移乗板は要介護者一人を乗せる程度の大きさで、コンパクトであり、小さな空間で移乗が行える。部品点数の少ない移乗板を追加するだけで移乗の機能を発揮できるので制作・保守のコストが小さい。
【図面の簡単な説明】
【０００９】
【図１】実施例１の正面図
【図２】図１の左側面図
【図３−ａ】実施例１の動作図１（正面図）
【図３−ｂ】実施例１の動作図２（正面図）
【図４−ａ】実施例１の動作完了図（平面図）
【図４−ｂ】実施例１の要介護者の移乗状態図
【図５】図４−ａのＡ矢視拡大図
【図６】図５のＢ矢視拡大図
【図７】実施例２の正面図
【図８】図７の左側面図
【図９】図７C部拡大図
【図１０−ａ】実施例２の動作図１（正面図）
【図１０−ｂ】実施例２の動作図２（正面図）
【図１１−ａ】実施例２の動作完了図（平面図）
【図１１−ｂ】実施例２の要介護者の移乗状態図
【発明を実施するための最良の形態】
【００１０】
本発明の実施例１を図１、図２、図３−a、図３−b、図４−a、図４−b、図５及び図６により説明する。図１は正面図であり、図２はその左側面図であり、図３−a、図３−b、図４−a、図４−b、は動作図である。図５、図６は要部拡大図である。
【実施例１】
【００１１】
本実施例１の構成を図２にて説明をする。本実施例１は２枚の移乗板をスライドガイドにて伸縮する方式である。
【００１２】
本実施例１の車椅子用移乗板Ａ４０は、車椅子側部のフレームＢに取り付けられた矩形板１と、該矩形板１に取り付けられたヒンジ２，３と、該ヒンジ２，３に取り付けられた固定側移乗板４と、該固定側移乗板４に取り付けられて伸縮するスライドガイド５，６と、該スライドガイド５，６に取り付けられた移動側移乗板７と、該移動側移乗板７に取り付けられたヒンジ８，９と、該ヒンジ８，９に取付けられた肘掛１０と、該肘掛１０にかぶせられた肘掛カバー１１と、前記移動側移乗板７に取り付けられた留め金板ばね１３と、該留め金板ばね１３に取り付けられた解除つまみ１４と、車椅子側部のフレームＡの取り付け穴を通して前記移動側移乗板７の側面のブロック７aを固定するためのノブ１２とよりなる構成である。
【００１３】
移乗板としての使用方法を説明する。
まず、かぶせてあるだけの肘掛カバー１１を外す。図２の前記フレームＡの取り付け穴を通して前記移動側移乗板７の側面のブロック７aをとめてあるノブ１２を外すと、移乗板Ａ４０は矩形板１に取り付けられたヒンジ２，３を回転中心に時計の１２時から７時の範囲で回転自由となる。
【００１４】
図３―a、図３―bにて説明する。
前記移乗板Ａ４０をゆっくり、水平に近づけながら、前記スライドガイド５，６により連結した前記固定側移乗板４から、前記移動側移乗板７を引き出す。引き出し限度の位置で前記移動側移乗板７に取付けられた留め金板ばね１３が前記固定側移乗板４の溝に入り込み、引き伸ばした状態が固定される。前記移動側移乗板７の先端に該移動側移乗板７に取付けられたヒンジ８，９に連結した肘掛１０が下方に垂れ下がっているので、これを前記ヒンジ８，９を回転中心に反時計回りに回転させ、前記肘掛１０の端部を前記移動側移乗板７の先端部に密着させると、同移乗板Ａ４０は一直線となる。
【００１５】
上記のように一直線になった前記移乗板Ａ４０を図４−ａのようにベッドにブリッジとして渡す。車椅子の駐車ブレーキが掛かって、車椅子は動かないので、要介護者は図４−bのように、前記移乗板Ａ４０の上に腰掛ながら、安心して車椅子とベッドの間を移乗できる。
【００１６】
前記移乗板Ａ４０の車椅子側部への垂直の収納は、図４−aの前記留め金板ばね１３に取付けられた解除つまみ１４を矢印方向に引けば前記移乗板Ａ４０の引き伸ばしを固定した状態は解除される。前記移乗板Ａ４０を引き伸ばしとは逆の手順で縮め、そして垂直まで回転させ、ノブ１２で前記移乗板Ａ４０をフレームＡに固定し、肘掛カバー１１をかぶせれば収納は完了である。
【実施例２】
【００１７】
本発明の実施例２を図７、図８、図９、図１０−a、図１０−b、図１１−a及び図１１−bにより説明する。図７は正面図であり、図８はその左側面図であり、図９は要部拡大図であり、図１０−a、図１０−b、図１１−a、図１１−b、は動作図である。
【００１８】
本実施例２の構成を図８と図９にて説明をする。本実施例２は２枚の移乗板を１組のヒンジで、垂直方向に折りたたみ収納したものを、水平にまたその逆に伸縮する方式である。
【００１９】
本実施例２の車椅子用移乗板Ｂ５０は、車椅子側部のフレームＢに取り付けられた矩形板１５と、該矩形板１５に取り付けられたヒンジ１６，１７と、該ヒンジ１６，１７に取り付けられた移乗板（１）１８と、該移乗板（１）１８に取り付けられたヒンジ１９，２０と、該ヒンジ１９，２０に取り付けられた移乗板（２）２１と、前記移乗板（１）１８にピン２本を差し込んで取り付けられた肘掛２２と、車椅子側部のフレームＢの取り付け穴を通して前記移乗板（１）１８の側面を固定するためのノブ２３と、移乗板（２）２１の穴を通して該移乗板（２）２１と前記移乗板（１）１８とを固定するためのノブ２４とよりなる構成とし、前記２枚の移乗板（１）１８と移乗板（２）２１と２組のヒンジ１６，１７とヒンジ１９，２０が１組になって水平に連なって伸びまた、縮んで前記車椅子の側部に垂直方向に２枚折り畳んで収納できる
【００２０】
移乗板としての使用方法を図８，図９により説明する。
まず、ピン２本を差し込んで前記移乗板（１）１８に取り付けてある肘掛２２を外す。次に移乗板（２）２１の穴を通して該移乗板（２）２１と前記移乗板（１）１８とを固定するためのノブ２４をはずし、前記フレームＣの取り付け穴を通して前記移乗板（１）１８をとめてあるノブ２３を外すと、移乗板Ｂ５０は矩形板１５に取り付けられたヒンジ１６，１７を回転中心に回転自由となる。
【００２１】
図１０―a、図１０―bにて説明する。
２枚に折り畳まれている前記移乗板Ｂ５０をゆっくり、反時計方向に回転させながら、２枚のうちの１枚である前記移乗板（２）２１を水平に引き出す。前記移乗板（１）１８と前記移乗板（２）２１とを連結しているヒンジ１９，２０を回転中心に、前記移乗板（１）１８の端面と前記移乗板（２）２１との端面を密着させれば前記移乗板Ｂ５０はヒンジ１６，１７を回転中心にして一直線となる。
【００２２】
上記のように一直線になった前記移乗板Ｂ５０を図１１−ａのようにベッドにブリッジとして渡す。車椅子の駐車ブレーキが掛かって、車椅子は動かないので、要介護者は図１１−bのように、前記移乗板Ｂ５０の上に腰掛ながら、安心して車椅子とベッドの間を移乗できる。
【００２３】
前記移乗板Ｂ５０の車椅子側部への垂直の収納は、前記移乗板Ｂ５０を引き伸ばしとは逆の手順で縮め、そして垂直まで回転させ、車椅子フレームＣの通し穴と前記移乗板（１）１８とを前記ノブ２３で固定し、移乗板（２）２１の穴を通して該移乗板（２）２１と前記移乗板（１）１８とを固定するためのノブ２４を取り付け、肘掛２２のピン２本を前記移乗板（１）１８に差し込んで該肘掛２２を取り付ければ収納完了である。
【符号の説明】
【００２４】
１            矩形板
２            ヒンジ
３            ヒンジ
４            固定側移乗板
５            スライドガイド
６            スライドガイド
７            移動側移乗板
８            ヒンジ
９            ヒンジ
１０          肘掛
１１          肘掛カバー
１２          ノブ
１３          留め金ばね板
１４          解除ツマミ
１５          矩形板
１６          ヒンジ
１７          ヒンジ
１８          移乗板（１）
１９          ヒンジ
２０          ヒンジ
２１          移乗板（２）
２２          肘掛
２３          ノブ
２４          ノブ
３０          車椅子
４０          移乗板Ａ
５０          移乗板Ｂ
【図１】
2011130939.tif 000003
【図２】
2011130939.tif 000004
【図３−ａ】
2011130939.tif 000005
【図３−ｂ】
2011130939.tif 000006
【図４−ａ】
2011130939.tif 000007
【図４−ｂ】
2011130939.tif 000008
【図５】
2011130939.tif 000009
【図６】
2011130939.tif 000010
【図７】
2011130939.tif 000011
【図８】
2011130939.tif 000012
【図９】
2011130939.tif 000013
【図１０−ａ】
2011130939.tif 000014
【図１０−ｂ】
2011130939.tif 000015
【図１１−ａ】
2011130939.tif 000016
【図１１−ｂ】
2011130939.tif 000017